(57)【特許請求の範囲】
【請求項１】
内部にワイヤハーネスが挿通される小径の電線挿通部と大径のパネル当接部とを有したグロメット本体と、このグロメット本体のパネル当接部の内部に嵌合される嵌合枠と該嵌合枠に弾性変形自在に突設されると共にパネルの貫通孔に係脱される係止部を有したロックアームとから成るロック本体とを備え、前記ロック本体のロックアームの係止部を前記パネルの貫通孔に着脱自在にしたグロメットにおいて、
前記グロメット本体のパネル当接部と前記ロックアームの自由端との間に、流体を導入することで拡径すると共に該流体を外部に導出することで縮径する袋状部を設け、この袋状部の拡径により前記ロックアームの自由端を前記電線挿通部側に弾性変形させて、前記ロックアームの係止部を前記パネルの貫通孔から離脱するように構成したことを特徴とするグロメット。
【請求項２】
請求項１記載のグロメットであって、
前記グロメット本体のパネル当接部に、前記袋状部に対して前記流体を導入・導出する栓付きの流体導入出口を設けたことを特徴とするグロメット。
【請求項３】
請求項１記載のグロメットであって、
前記グロメット本体のパネル当接部に、前記袋状部に対して前記流体を導入・導出する流体導入出口を設け、この流体導入出口に栓付きのチューブを接続したことを特徴とするグロメット。
【発明の詳細な説明】
【技術分野】
【０００１】
本発明は、ロックアームの係止部によりグロメット本体をパネルの貫通孔に簡単に取り付け及び取り外しできるようにしたグロメットに関する。
【背景技術】
【０００２】
この種のグロメットとして、図７に示すものがある（例えば、特許文献１参照。）。
【０００３】
このグロメット１は、図７（ａ），（ｂ）に示すように、内部にワイヤハーネス８が挿通される小径の電線挿通部３と大径のパネル当接部４とを有したグロメット本体２と、このグロメット本体２のパネル当接部４の内部４ａに嵌合される嵌合枠６と該嵌合枠６に弾性変形自在にＵ字状に突設されると共にパネル９の貫通孔９ａに係脱される係止部７ａを有したロックアーム７とから成るロック本体５とを備えている。
【０００４】
このロック本体５のＵ字状のロックアーム７の外側に突出した係止部７ａがパネル９の貫通孔９ａに係止されることにより、グロメット本体２がパネル９の貫通孔９ａの周りに取り付けられるようになっている。この際に、ロック本体５のロックアーム７の自由端７ｂは、グロメット本体２のパネル当接部４の嵌め込み部４ｂ内に嵌め込まれている。
【０００５】
そして、車輌の解体時等において、パネル９の貫通孔９ａからワイヤハーネス８を挿通させたグロメット本体２を取り外す際には、図７（ｂ）に示すように、車室側より、グロメット本体２のパネル当接部４の嵌め込み部４ｂの外側からロック本体５のロックアーム７の自由端７ｂを矢印Ｙに示すようにワイヤハーネス８側に押圧付勢する。これにより、ロックアーム７の自由端７ｂ側がワイヤハーネス８側に弾性変形し、ロックアーム７の係止部７ａがパネル９の貫通孔９ａから離脱することで、パネル９からワイヤハーネス８付きのグロメット１が取り外される。
【特許文献１】実開平７−１４５２０号公報
【発明の開示】
【発明が解決しようとする課題】
【０００６】
しかしながら、前記従来のグロメット１では、パネル９からグロメット本体２を取り外す際に、手作業によりグロメット本体２のパネル当接部４の嵌め込み部４ｂの外側からワイヤハーネス８側に押圧付勢しなければならないため、奥まった狭い箇所にグロメット本体２が固定されている場合には、取り外し作業が煩雑となり、グロメット１の取り外しが難しかった。
【０００７】
そこで、本発明は、前記した課題を解決すべくなされたものであり、手作業によることなくロックアームの係止部の係止状態を簡単かつ確実に解除することができ、パネルからグロメット本体を簡単に取り外すことができるグロメットを提供することを目的とする。
【課題を解決するための手段】
【０００８】
請求項１の発明は、内部にワイヤハーネスが挿通される小径の電線挿通部と大径のパネル当接部とを有したグロメット本体と、このグロメット本体のパネル当接部の内部に嵌合される嵌合枠と該嵌合枠に弾性変形自在に突設されると共にパネルの貫通孔に係脱される係止部を有したロックアームとから成るロック本体とを備え、前記ロック本体のロックアームの係止部を前記パネルの貫通孔に着脱自在にしたグロメットにおいて、前記グロメット本体のパネル当接部と前記ロックアームの自由端との間に、流体を導入することで拡径すると共に該流体を外部に導出することで縮径する袋状部を設け、この袋状部の拡径により前記ロックアームの自由端を前記電線挿通部側に弾性変形させて、前記ロックアームの係止部を前記パネルの貫通孔から離脱するように構成したことを特徴とする。
【０００９】
請求項２の発明は、請求項１記載のグロメットであって、前記グロメット本体のパネル当接部に、前記袋状部に対して前記流体を導入・導出する栓付きの流体導入出口を設けたことを特徴とする。
【００１０】
請求項３の発明は、請求項１記載のグロメットであって、前記グロメット本体のパネル当接部に、前記袋状部に対して前記流体を導入・導出する流体導入出口を設け、この流体導入出口に栓付きのチューブを接続したことを特徴とする。
【発明の効果】
【００１１】
以上説明したように、請求項１の発明によれば、グロメット本体のパネル当接部とロックアームの自由端との間に、流体を導入することで拡径すると共に該流体を外部に導出することで縮径する袋状部を設け、この袋状部の拡径によりロックアームの自由端を電線挿通部側に弾性変形させて、ロックアームの係止部をパネルの貫通孔から離脱するように構成したことにより、ロックアームの係止部の係止状態を簡単かつ確実に解除することができ、パネルからグロメットを簡単に取り外すことができる。
【００１２】
請求項２の発明によれば、グロメット本体のパネル当接部に、袋状部に対して流体を導入・導出する栓付きの流体導入出口を設けたことにより、流体導入出口から袋状部に流体を導入することで、手作業によることなくロックアームの係止部の係止状態を簡単かつ確実に解除することができ、パネルからグロメットを簡単に取り外すことができる。
【００１３】
請求項３の発明によれば、グロメット本体のパネル当接部に、袋状部に対して流体を導入・導出する流体導入出口を設け、この流体導入出口に栓付きのチューブを接続したことにより、チューブから流体導入出口を介して袋状部に流体を導入することで、奥まった狭い作業場所でも手作業によることなくロックアームの係止部の係止状態を簡単かつ確実に解除することができ、パネルからグロメットを簡単に取り外すことができる。
【発明を実施するための最良の形態】
【００１４】
以下、本発明の実施形態を図面に基づいて説明する。
【００１５】
図１は本発明の第１実施形態のグロメットを示す断面図、図２は同グロメットの取り外し時の断面図、図３は同グロメットの取り付け時の概略説明図、図４は同グロメットの取り外し時の概略説明図である。
【００１６】
図１，図２に示すように、グロメット１０は、内部にワイヤハーネス８が挿通される小径の電線挿通部１２と大径のパネル当接部１３とを有したゴム製のグロメット本体１１と、このグロメット本体１１のパネル当接部１３の内部に嵌合される嵌合枠１６と該嵌合枠１６に弾性変形自在にＵ字状に一体突出形成されると共にパネル９の貫通孔９ａに係止・離脱される鉤状の係止部１７ａをそれぞれ有した一対のロックアーム１７，１７とから成る合成樹脂製のロック本体１５とを備えている。
【００１７】
図１に示すように、グロメット本体１１のパネル当接部１３の円形の開口周縁部１３ａがパネル９の一側面９ｂに当接した状態で、ロック本体１５の一対のロックアーム１７，１７の各係止部１７ａがパネル９の貫通孔９ａに係止されるようになっている。また、グロメット本体１１のパネル当接部１３の開口周縁部１３ａ寄りの内部には円環状凹部１３ｂを形成してあり、この円環状凹部１３ｂ内にロック本体１５の嵌合枠１６を嵌め込んである。
【００１８】
さらに、図１〜図４に示すように、グロメット本体１１のパネル当接部１３の内部の天井壁部１３ｃ側には、空気等の気体（流体）Ａを導入することで拡径すると共に該気体Ａを外部に導出することで縮径する正面Ｃ状でチューブ状の空洞部（袋状部）１４を形成してある。この縮径時の空洞部１４の両側の各薄肉部１４ａに近接する位置には、ロック本体１５の各ロックアーム１７の自由端１７ｂ側を配置してある。また、グロメット本体１１のパネル当接部１３の天井壁部１３ｃ側には、空洞部１４に対して気体Ａを導入・導出する栓（バルブ）１９付きの流体導入出口１８を形成してある。
【００１９】
図１，図２に示すように、ロック本体１５の嵌合枠１６は、合成樹脂により略円環板状に形成してあり、その円筒状の中央部１６ａの相対向する位置には一対のロックアーム１７，１７をＵ字状に一体突出形成してある。この各ロックアーム１７の外側にパネル９の貫通孔９ａに係止・離脱される鉤状の係止部１７ａを一体突出形成してある。また、各ロックアーム１７の自由端１７ｂは、嵌合枠１６の各開口孔１６ｂからグロメット本体１１のパネル当接部１３の空洞部１４の両側の各薄肉部１４ａに近接するように延びている。
【００２０】
以上実施形態のグロメット１０によれば、図１に示すように、グロメット１０を車輌用のパネル（車体）９に取り付ける場合には、ロック本体１５のＵ字状のロックアーム１７の湾曲した部分をパネル９の貫通孔９ａ内に貫通させて、グロメット本体１１のパネル当接部１３の開口周縁部１３ａがパネル９の車室側の一側面９ｂに当たるまで押圧すると、ロック本体１５のロックアーム１７の自由端１７ｂ側が内側（ワイヤハーネス８側）に弾性変形し、該ロックアーム１７の外側に突出した係止部１７ａがパネル９の貫通孔９ａに係止されることにより、グロメット本体１１がパネル９の貫通孔９ａの周りに取り付けられる。この際、パネル当接部１３のチューブ状の空洞部１４内には空気Ａは注入されていないため、ロックアーム１７の自由端１７ｂは元の状態に戻り、図１及び図３に示すように、縮径状態の空洞部１４の薄肉部１４ａの近接位置に位置している。
【００２１】
そして、車輌の解体作業時等において、パネル９の貫通孔９ａからワイヤハーネス８付きのグロメット１０を取り外す場合には、図２及び図４に示すように、栓１９を開けて流体導入出口１８から空気Ａを注入すると、パネル当接部１３のチューブ状の空洞部１４の薄肉部１４ａが拡径して内側に膨張し、この膨張した薄肉部１４ａがロックアーム１７の自由端１７ｂを内側に弾性変形させる。これにより、ロックアーム１７の係止部１７ａがパネル９の貫通孔９ａから離脱することで、パネル９からワイヤヘーネス８付きのグロメット１０が取り外される。
【００２２】
このように、従来、目に見えない狭い所で行って来たロック（係止部）を指で押して外していたものを、空気Ａを導入して膨張したパネル当接部１３の空洞部１４によりロックアーム１７の係止部１７ａのパネル９の貫通孔９ａへの係止を解除し、パネル９の貫通孔９ａからグロメット１０を簡単かつ確実に取り外すことができる。
【００２３】
図５は本発明の第２実施形態のグロメットを示す断面図、図６は同グロメットの取り外し時の断面図である。
【００２４】
この第２実施形態のグロメット１０′は、グロメット本体１１のパネル当接部１３に設けた流体導入出口１８に、栓（バルブ）１９付きで長さが調節できるチューブ２０を接続するようになっている。尚、他の構成は、前記第１実施形態と同様であるので、同一構成部分には同一符号を付して詳細な説明は省略する。
【００２５】
この第２実施形態のグロメット１０′では、グロメット本体１１のパネル当接部１３に、チューブ状の空洞部（袋状部）１４に対して空気（流体）Ａを導入・導出する流体導入出口１８を設け、この流体導入出口１８に栓１９付きのチューブ２０を接続するようにしたことにより、チューブ２０から流体導入出口１８を介してパネル当接部１３の空洞部１４に空気Ａを注入することで、奥まった狭い作業場所でも手作業によることなくロックアーム１７の係止部１７ａのパネル９の貫通孔９ａに対する係止状態を簡単かつ確実に解除することができ、パネル９の貫通孔９ａからグロメット１０を簡単かつ確実に取り外すことができる。
【００２６】
尚、前記各実施形態によれば、ロック本体１５の嵌合枠１６の円筒状の中央部１６ａの相対向する位置に一対のロックアーム１７，１７をＵ字状に一体突出形成したが、９０度毎に４つのロックアームを一体突出形成しても良い。また、グロメット本体１１のパネル当接部１３の空洞部１４を拡径する流体として空気Ａを用いたが、液体等の流体でも良いことは勿論である。
【図面の簡単な説明】
【００２７】
【図１】本発明の第１実施形態のグロメットを示す断面図である。
【図２】上記第１実施形態のグロメットの取り外し時の断面図である。
【図３】上記第１実施形態のグロメットの取り付け時の概略説明図である。
【図４】上記第１実施形態のグロメットの取り外し時の概略説明図である。
【図５】本発明の第２実施形態のグロメットを示す断面図である。
【図６】上記第２実施形態のグロメットの取り外し時の断面図である。
【図７】（ａ）は従来のグロメットを示す断面図、（ｂ）は同グロメットの取り外し時の断面図である。
【符号の説明】
【００２８】
８  ワイヤハーネス
９  パネル
９ａ  貫通孔
１０，１０′  グロメット
１１  グロメット本体
１２  電線挿通部
１３  パネル当接部
１４  チューブ状の空洞部（袋状部）
１５  ロック本体
１６  嵌合枠
１７  ロックアーム
１７ａ  係止部
１７ｂ  自由端
１８  流体導入出口
１９  栓
２０  チューブ
Ａ  空気（流体）
【図１】
0005156417.tif 000002
【図２】
0005156417.tif 000003
【図３】
0005156417.tif 000004
【図４】
0005156417.tif 000005
【図５】
0005156417.tif 000006
【図６】
0005156417.tif 000007
【図７】
0005156417.tif 000008